(57)【特許請求の範囲】
【請求項１】
基準電圧（Ｖｒｅｆ）を用いて第１の電圧（Ｖｅｘｔ）から第２の電圧（Ｖｉｎｔ）を生成し、作動禁止信号（ＤＩＳＡＢＬＥ）によって非活動化される、電圧発生器において、
前記電圧発生器（ＶｉｎｔＧＥＮ）の非活動化に対して、前記電圧発生器に基準電圧（Ｖｒｅｆ）を供給する線路（ＣＯＭ）に、作動禁止信号（ＤＩＳＡＢＬＥ）が印加され、
前記線路（ＣＯＭ）への非活動化信号（ＤＩＳＡＢＬＥ）の印加は、前記線路（ＣＯＭ）を基準電圧（Ｖｒｅｆ）とは異なる電位にもたらすことによって行われることを特徴とする電圧発生器。
【請求項２】
前記作動禁止信号（ＤＩＳＡＢＬＥ）は、前記電圧発生器（ＶｉｎｔＧＥＮ）を高抵抗状態に置換えることにも用いられる、請求項１記載の電圧発生器。
【請求項３】
前記作動禁止信号（ＤＩＳＡＢＬＥ）は、前記電圧発生器（ＶｉｎｔＧＥＮ）に対する所要の基準電圧（Ｖｒｅｆ）供給の中断にも用いられる、請求項１または２記載の電圧発生器。
【発明の詳細な説明】
【０００１】
【発明の属する技術分野】
本発明は、基準電圧の使用下で第１の電圧から第２の電圧を生成し、作動禁止信号の使用下で非活動化される、電圧発生器に関する。
【０００２】
【従来の技術】
この種の電圧発生器は、例えば集積回路において、制御されていない外部電圧から制御された内部電圧を生成するために用いられている。制御された内部電圧は、例えば信号経過時間が外部電圧に依存しないようにするために必要であり、そのような内部電圧の生成は有利には、温度及びプロセス依存性の基準電圧の適用のもとで行われる。
【０００３】
例えばテストの目的で電圧発生器の活動を停止させるかおよび/または高抵抗状態に置換えることが必要となることがあり得る。
【０００４】
基準電圧の使用下で第１の電圧から第２の電圧を生成し、作動禁止信号の使用下で非活動化される電圧発生器は図２に示されている。
【０００５】
この場合、電圧発生器は符号ＶｉｎｔＧＥＮで示され、第１の（外部の）電圧は符号Ｖｅｘｔで示され、基準電圧は符号Ｖｒｅｆで示され、第２の（内部）電圧は符号Ｖｉｎｔで示され、作動禁止信号は符号ＤＩＳＡＢＬＥで示されている。基準電圧Ｖｒｅｆは、電圧発生器ＶｉｎｔＧＥＮの外部に設けられている基準電圧発生器ＶｒｅｆＧＥＮによって生成される。電圧発生器ＶｉｎｔＧＥＮは、差動増幅器ＤとトランジスタＴ１及びＴ２を含んでいる。
【０００６】
電圧発生器ＶｉｎｔＧＥＮによって生成された（第２の）電圧Ｖｉｎｔは、第１のトランジスタＴ１によって導通される電圧である。このトランジスタＴ１は、その入力端子に第１の電圧Ｖｅｘｔを印加され、差動増幅器Ｄの出力電圧によって制御される。差動増幅器Ｄは、基準電圧Ｖｒｅｆと、電圧発生器ＶｉｎｔＧＥＮによって生成された第２の電圧Ｖｉｎｔを比較し、その差分に相応する電圧を出力する。
【０００７】
差動禁止信号ＤＩＳＡＢＬＥによって、電圧発生器ＶｉｎｔＧＥＮは、必要に応じて自身に（図示の例では差動増幅器Ｄ自体に）供給される給電電圧（図示の例ではＶｅｘｔ−アースー電位ＧＲＯＵＤ）から分離され得る。図示の例では、差動禁止信号ＤＩＳＡＢＬＥによって第２のトランジスタＴ２が制御される。このトランジスタＴ２は、差動増幅器Ｄを給電電圧のアース電位ＧＲＯＵＮＤに接続させる線路経路に設けられている。このトランジスタＴ２の作動禁止信号ＤＩＳＡＢＬＥによる遮断は、アースとの接続の分離と、それに伴う電圧発生器に対する給電電圧供給の中断に作用する。
【０００８】
電圧発生器ＶｉｎｔＧＥＮによって生成される電圧Ｖｉｎｔは、Ｖｉｎｔ−ネットワークを介してこの電圧を必要としている構成要素に供給される。このＶｉｎｔ−ネットワークを介した電圧Ｖｉｎｔの分圧の際には電圧ロスが生じる。このことを回避するために、集積回路においては頻繁に複数の電圧発生器ＶｉｎｔＧＥＮが設けられる。この場合複数の電圧発生器は有利には並列に接続され、多かれ少なかれ均等に集積回路に亘って分散される。そのような配置構成は図３に概略的に示されている。
【０００９】
図３からも容易にみてとれるように、そのような配置構成の具体的な実現は、著しいコストに結び付く。特に問題となるのは、（集積回路全体に亘って延在するような）多数の長い線路が設けられなければならないことである。
【００１０】
【発明が解決しようとする課題】
本発明の課題は、冒頭に述べたような形式の電圧発生器において、この種の１つまたはそれ以上の電圧発生器を最小のコストで集積回路内に集積させることである。
【００１１】
【課題を解決するための手段】
前記課題は本発明により、電圧発生器の非活動化に対して、前記電圧発生器に基準電圧を供給する線路に、作動禁止信号が印加され、前記線路への非活動化信号の印加は、前記線路を基準電圧とは異なる電位にもたらすことによって行われるようにして解決される。
【００１２】
【発明の実施の形態】
それにより、電圧発生器にその作動と制御に必要とされる電圧と信号を供給するのに設けなければならない線路の数が著しく低減できる。
【００１３】
電圧発生器に基準電圧と作動禁止信号を１つの同じ線路を介して供給することによって、マイナスの影響は生じない。なぜなら同時伝送（重畳）の必要性がないからである。
【００１４】
前述したように構成された電圧発生器は、それによって最小のコストで集積回路内に集積できる。
【００１５】
本発明の別の有利な構成例は従属請求項に記載されている。
【００１６】
【実施例】
次に本発明を図面に基づき以下の明細書で詳細に説明する。
【００１７】
以下に詳細に説明する電圧発生器は、基準電圧の使用下で第１の電圧から第２の電圧を生成し、作動禁止信号の使用下で非活動化可能な電圧発生器である。
【００１８】
図示の電圧発生器の内部構造は、図２に示され冒頭で説明した電圧発生器の構造に相応している。すなわち電圧発生器は図２で説明したように、作動増幅器ＤとトランジスタＴ１，Ｔ２を含んでいる。
【００１９】
但しこのことは本発明の限定を意味するものではない。基準電圧を用いたもとでの第１の電圧（外部電圧Ｖｅｘｔ）から第２の電圧（内部電圧Ｖｉｎｔ）への変換も、他の回路及び/又は他の原理を用いたもとでの電圧発生器の非活動化も行うことができる。
【００２０】
さらに本発明では、第１の電圧が、外部から当該電圧発生器に含まれる集積回路に印加される電圧であることも、および/または第２の電圧が、内部（該当する集積回路内部）で必要とされる電圧であることもそのことへの限定を意味するものではない。本発明は基本的には任意の第１の電圧を任意の第２の電圧に変換できる。
【００２１】
本発明による電圧発生器は、電圧発生器に作動禁止信号が基準電圧の供給線路を介して供給されるという点で傑出している。
【００２２】
それにより、電圧発生器に基準電圧と作動禁止信号を別個の線路で供給する必要はもはやなくなる。
【００２３】
このことは特に、多数の電圧発生器が並列に接続されなければならないようなケースで非常に有利となる。これにより、各電圧発生器に対する線路の数も低減できる。
【００２４】
複数の並列に接続された電圧発生器が本発明による形態で配置構成されている実施例は図１に示されている。
【００２５】
この図１による配置構成は、図３による配置構成の多くの点で相応しており、従って互いに相応する構成要素には同じ符号が付されている。
【００２６】
図１に示されている配置構成では、図３による配置構成の場合のように４つの電圧発生器ＶｉｎｔＧＥＮ１，ＶｉｎｔＧＥＮ２，ＶｉｎｔＧＥＮ３，ＶｉｎｔＧＥＮ４が並列に接続されている。
【００２７】
この限りでは図３による配置構成と一致している。
【００２８】
図３による配置構成と異なっている点は、４つの電圧発生器ＶｉｎｔＧＥＮ１，ＶｉｎｔＧＥＮ２，ＶｉｎｔＧＥＮ３，ＶｉｎｔＧＥＮ４に、基準電圧Ｖｒｅｆと作動禁止信号ＤＩＳＡＢＬＥが共通の線路ＣＯＭを介して供給されていることである。
【００２９】
この共通の線路ＣＯＭには、基準電圧発生器ＶｒｅｆＧＥＮから生成された基準電圧Ｖｒｅｆが印加され、さらに必要に応じて、作動禁止信号ＤＩＳＡＢＬＥによって制御されるトランジスタＴ３を介して、基準電圧とは異なる電位（当該実施例ではアース電位）に結ばれている。
【００３０】
図示の例では作動禁止信号ＤＩＳＡＢＬＥが、基準電圧発生器ＶｒｅｆＧＥＮの非活動化のために付加的に用いられている。
【００３１】
図示の配置構成では、電圧発生器ＶｉｎｔＧＥＮ１，ＶｉｎｔＧＥＮ２，ＶｉｎｔＧＥＮ３，ＶｉｎｔＧＥＮ４が、ハイレベルを有する作動禁止信号ＤＩＳＡＢＬＥによって非活動化される。
【００３２】
作動禁止信号ＤＩＳＡＢＬＥがローレベルを有している場合と有している限り、基準電圧発生器ＶｒｅｆＧＥＮは作動し続け、トランジスタＴ３は遮断される。これにより、共通の基準電圧/作動禁止信号用線路ＣＯＭを介して、基準電圧発生器ＶｒｅｆＧＥＮによって生成された基準電圧Ｖｒｅｆが伝送される。
【００３３】
作動禁止信号ＤＩＳＡＢＬＥがハイレベルを有している場合には、基準電圧発生器ＶｒｅｆＧＥＮが活動停止され、トランジスタＴ３の導通される。これにより、共通の基準電圧/作動禁止信号用線路ＣＯＭはアース電位にひかれる。
【００３４】
この共通の基準電圧/作動禁止信号用線路ＣＯＭは、基準電圧入力側端子（差動増幅器Ｄの非反転入力側）にも、電圧発生器ＶｉｎｔＧＥＮ１，ＶｉｎｔＧＥＮ２，ＶｉｎｔＧＥＮ３，ＶｉｎｔＧＥＮ４の作動禁止信号入力側端子（トランジスタＴ２の制御端子）にも接続されている。
【００３５】
基準電圧Ｖｒｅｆが共通の基準電圧/作動禁止信号用線路ＣＯＭを介して伝送される場合、及び伝送され続ける限り、外部電圧Ｖｅｘｔは所定の形式で内部電圧Ｖｉｎｔに変換される。トランジスタＴ２に印加される基準電圧は、トランジスタＴ２の導通にも寄与し、各電圧発生器ＶｉｎｔＧＥＮ１，ＶｉｎｔＧＥＮ２，ＶｉｎｔＧＥＮ３，ＶｉｎｔＧＥＮ４への給電電圧の印加にも寄与している。
【００３６】
共通の基準電圧/作動禁止信号用線路ＣＯＭがアース電位に接続された場合、トランジスタＴ２は遮断され、これによって各電圧発生器ＶｉｎｔＧＥＮ１，ＶｉｎｔＧＥＮ２，ＶｉｎｔＧＥＮ３，ＶｉｎｔＧＥＮ４への電圧供給（差動増幅器Ｄとアースとの接続）が中断される。電圧発生器ＶｉｎｔＧＥＮ１，ＶｉｎｔＧＥＮ２，ＶｉｎｔＧＥＮ３，ＶｉｎｔＧＥＮ４はこの状態においては、非活動化され、同時に高抵抗状態に置換えられる。
【００３７】
共通の基準電圧/作動禁止信号用線路ＣＯＭの配設は、別個の基準電圧/作動禁止信号用線路ＣＯＭが設けられている場合と同じように、電圧発生器ＶｉｎｔＧＥＮ１，ＶｉｎｔＧＥＮ２，ＶｉｎｔＧＥＮ３，ＶｉｎｔＧＥＮ４を駆動させ、非活動化させる。
【００３８】
いずれにせよ、電圧発生器ＶｉｎｔＧＥＮ１，ＶｉｎｔＧＥＮ２，ＶｉｎｔＧＥＮ３，ＶｉｎｔＧＥＮ４を基準電圧発生器ＶｒｅｆＧＥＮと作動禁止信号源に接続させる線路の数は低減される。
【００３９】
これにより前述した形式の電圧発生器は、機能的な制約を受けることなく最小のコストで集積回路内に集積可能となる。
【図面の簡単な説明】
【図１】並列に接続された複数の電圧発生器の場合の配置構成を示した図である。
【図２】基準電圧の使用下で第１の電圧から第２の電圧を生成し、作動禁止信号の使用下で非活動化される従来の電圧発生器を示した図である。
【図３】図２による複数の電圧発生器が並列に接続されている場合の配置構成を示した図である。
【符号の説明】
ＶｉｎｔＧＥＮ１    電圧発生器
ＶｉｎｔＧＥＮ２    電圧発生器
ＶｉｎｔＧＥＮ３    電圧発生器
ＶｉｎｔＧＥＮ４    電圧発生器
ＣＯＭ              共通の基準電圧/作動禁止信号用線路
ＶｒｅｆＧＥＮ      基準電圧発生器
Ｄ                  差動増幅器
Ｖｒｅｆ            基準電圧
【図１】
0004426081.tif 000002
【図２】
0004426081.tif 000003
【図３】
0004426081.tif 000004